(57)【要約】【課題】コンクリート床版を補強する際において、ハンチ部の形状や大きさがいかなるものであっても、施工労力を軽減させつつこれを補強することが可能な、コンクリート床版の補強方法を提供する。【解決手段】橋軸直角方向に並列配置された鋼桁４に一体化され、Ｉ断面からなる鋼桁４の上フランジ部に対してハンチ部２１ｂを介して一体化されてなるコンクリート床版の補強方法であって、予め繊維補強シート３２が取り付けられた補強用底板３１をコンクリート床版２の底面２１ａに鋼桁４と離間させて接合し、繊維補強シート３２を少なくともハンチ部２１ｂを被覆するように鋼桁４に取り付ける。【選択図】図１
2010265696.tif 000002
【特許請求の範囲】
【請求項１】
主桁並びに横桁に一体化されたコンクリート床版の補強構造において、
上記コンクリート床版の底面に、上記主桁／上記横桁に対して離間させて接合された補強用底板と、
上記補強用底板と上記主桁／上記横桁との間に取り付けられた繊維補強シートとを備えること
を特徴とするコンクリート床版の補強構造。
【請求項２】
上記コンクリート床版は、上記主桁に対してハンチ部を介して一体化されてなり、
上記繊維補強シートは、少なくとも上記ハンチ部に接着されてなるとともに、一端が上記補強用底板の下面に取り付けられていること
を特徴とする請求項１記載のコンクリート床版の補強構造。
【請求項３】
上記コンクリート床版は、上記横桁の上フランジ部に対してハンチ部を介して一体化されてなり、
上記繊維補強シートは、少なくとも上記ハンチ部に接着されてなるとともに、一端が上記補強用底板の下面に取り付けられていること
を特徴とする請求項１記載のコンクリート床版の補強構造。
【請求項４】
主桁並びに横桁に一体化されたコンクリート床版の補強構造において、
上記コンクリート床版の底面に，互いに橋軸方向又は橋軸直角方向に離間させて接合された補強用底板と、
上記補強用底板の間隙を被覆するように取り付けられた繊維補強シートとを備えること
を特徴とするコンクリート床版の補強構造。
【請求項５】
上記繊維補強シートは、少なくとも上記コンクリート床版の底面に接着されてなること
を特徴とする請求項４記載のコンクリート床版の補強構造。
【請求項６】
請求項１〜３のうち何れか１項記載のコンクリート床版の補強構造に用いられ、一端又は両端に上記繊維補強シートが取り付けられた上記補強用底板を有すること
を特徴とする補強材。
【請求項７】
主桁並びに横桁に一体化されたコンクリート床版の補強方法において、
予め繊維補強シートが取り付けられた補強用底板を上記コンクリート床版の底面に上記主桁／上記横桁に対して離間させて接合し、
上記繊維補強シートを上記主桁／上記横桁に取り付けること
を特徴とするコンクリート床版の補強方法。
【請求項８】
主桁並びに横桁に一体化されたコンクリート床版の補強方法において、
補強用底板を上記コンクリート床版の底面に上記主桁／上記横桁に対して離間させて接合し、
上記補強用底板と上記主桁／上記横桁との間に繊維補強シートを取り付けること
を特徴とするコンクリート床版の補強方法。
【請求項９】
上記主桁又は上記横桁の上フランジ部に対してハンチ部を介して一体化されてなる上記コンクリート床版に対して、上記繊維補強シートを、少なくとも上記ハンチ部に接着させることにより取り付けること
を特徴とする請求項７又は８記載のコンクリート床版の補強方法。
【発明の詳細な説明】
【技術分野】
【０００１】
本発明は、道路橋、歩道橋等の橋梁に適用されるコンクリート床版の補強構造及び方法に関する。
【背景技術】
【０００２】
図１１に示すように、道路橋、歩道橋等の橋梁に適用されるコンクリート床版７は、所定厚さのＲＣコンクリート層７１が形成され、橋軸直角方向に並列配置された主桁８の上端に一体化されて構成される。旧道路橋示方書による設計荷重以上の車両及び積載オーバーの車両９がちょうど上述の如き主桁８の中間部付近を走行する場合、主桁８の中間部付近において最大となる正の曲げモーメントによる影響により、コンクリート床版７の曲げ引張側（底面７a）において大きな負荷がかかることになる。曲げモーメントの影響により、底面７ａからひび割れが発生し、またコンクリートの剥落等の損傷の原因を引き起こす。
【０００３】
従って、近年においては、この主桁８の中間部付近において最大となる曲げモーメントに抵抗するため、コンクリート床版７の底面７ａが鋼板にて補強されている橋梁構造が提案されている。
【０００４】
例えば、非特許文献１に開示されている床版を用いた橋梁構造では、主桁付近のハンチ部において、補強鋼板を曲げ下げて設置した例が開示されている。
【先行技術文献】
【非特許文献】
【０００５】
【非特許文献１】土木学会鋼構造委員会他「道路橋床版の新技術と性能照査型設計」、社団法人土木学会、ｐ６２〜ｐ６３、平成１２年１０月
【発明の概要】
【発明が解決しようとする課題】
【０００６】
しかしながら、上述した非特許文献１の開示技術のように、コンクリート床版の底面に補強鋼板を接合し、しかもこの補強鋼板をハンチ部の形状に応じて折り曲げる構成では、かかる補強鋼板の折曲げ工程が発生するため、施工労力の負担が増大してしまう。特にこの補強鋼板の折曲げ角度は、ハンチ部の形状に応じて決まる。ハンチ部の形状や大きさはそれぞれ異なる。その結果、この異なるハンチ部の形状毎に補強鋼板の折曲げ角度を設定しなければならず、施工労力の負担がより著しく増大してしまうという問題点があった。
【０００７】
ちなみに、非特許文献１の開示技術は、ハンチ部の形状に応じた補強鋼板の折曲げ角度の調整可能な構成は特段開示されていなかった。
【０００８】
そこで、本発明は、上述した問題点に鑑みて案出されたものであり、その目的とするところは、コンクリート床版を補強する際において、ハンチ部の形状や大きさがいかなるものであっても、施工労力を軽減させつつこれを補強することが可能な、コンクリート床版の補強構造及び方法を提供することにある。
【課題を解決するための手段】
【０００９】
本発明者は、上述した課題を解決するために、フラットな床版中央部に補強用鋼板を取付た後に、その補強用鋼板端部に繊維強化シートを貼り付けてハンチ部に対してこれを接着する。又は、予め繊維補強シートが取り付けられた補強用底板をコンクリート床版の底面に主桁と離間させて接合し、その繊維補強シートをハンチ部に貼り付ることにより、ハンチ部の形状や大きさがいかなるものであっても、施工労力を軽減させつつこれを補強することが可能なコンクリート床版の補強方法を発明した。
【００１０】
本発明に係るコンクリート床版の補強構造は、鋼製の主桁並びに横桁に一体化されたコンクリート床版の補強構造において、上記コンクリート床版の底面に、上記主桁／上記横桁に対して離間させて接合された補強用底板と、上記補強用底板と上記主桁／上記横桁との間に取り付けられた繊維補強シートとを備えることを特徴とする。
【００１１】
また、本発明に係るコンクリート床版の補強構造は、鋼製の主桁並びに横桁に一体化されたコンクリート床版の補強構造において、上記コンクリート床版の底面に，互いに橋軸方向又は橋軸直角方向に離間させて接合された補強用底板と、上記補強用底板の間隙を被覆するように取り付けられた繊維補強シートとを備えることを特徴とする。
【００１２】
本発明に係るコンクリート床版の補強方法は、鋼製の主桁並びに横桁に一体化されたコンクリート床版の補強方法において、予め繊維補強シートが取り付けられた補強用底板を上記コンクリート床版の底面に上記主桁／上記横桁に対して離間させて接合し、上記繊維補強シートを上記主桁／上記横桁に取り付けることを特徴とする。
【００１３】
本発明に係るコンクリート床版の補強方法は、鋼製の主桁並びに横桁に一体化されたコンクリート床版の補強方法において、補強用底板を上記コンクリート床版の底面に上記主桁／上記横桁に対して離間させて接合し、上記補強用底板と上記主桁／上記横桁との間に繊維補強シートを取り付けることを特徴とする。
【発明の効果】
【００１４】
上述した構成からなる本発明によれば、主桁の近傍については、繊維補強シートによる補強により、十分に亀裂の進展を抑制することができ、損傷を抑えることが可能となる。
【００１５】
なお、本発明によれば、繊維補強シートを取り付ける構成としていることから、いかなるハンチ部の形状に対しても自在に対応することが可能となる。特に補強工事を前提とする場合、補強対象としてのコンクリート床版のハンチ部の形状や大きさはそれぞれ異なるが、本発明を適用することにより、かかるハンチ部の形状や大きさに自在に対応することができることから、特に補強時において大きな効果を発揮する。
【００１６】
また、補強用底板の取り付けは、具体的にはＲＣコンクリート躯体と補強用底板との間隙にはエポキシ系樹脂を注入して一体化を図るが、その際にエポキシ系樹脂が補強用底板の端部より漏れてしまうので粘土状のシール材でシーリングし、シール材の硬化を待ってから注入を行わなければならなかった。これに対して、本発明によればかかるシール材によるシーリングの必要がなくなり、ハンチ部に接着する繊維強化シートによりかかるシーリングを兼用することができ、工程上の短縮並びにコストの縮減を図ることが可能となる。
【図面の簡単な説明】
【００１７】
【図１】本発明を適用したコンクリート床版の補強構造を示す図である。
【図２】補強材の構成について説明するための図である。
【図３】繊維補強シートの取り付け形態について説明するための図である。
【図４】本発明を適用した他のコンクリート床版の補強構造を示す図である。
【図５】補強材の他の構成について説明するための図である。
【図６】長手方向が橋軸方向とされた補強用底板を橋軸直角方向に複数並べた例を示す図である。
【図７】補強用底板を複数配置する例を示す底面図である。
【図８】、鋼製の主桁の代替として、コンクリート製の主桁で構成した場合の例を示す図である。
【図９】本発明を適用したコンクリート床版の他の補強構造を示す図である。
【図１０】本発明を適用したコンクリート床版の補強構造による実際の補強方法について説明するための図である。
【図１１】従来技術について説明するための図である。
【発明を実施するための形態】
【００１８】
以下、本発明の実施の形態として、道路橋、歩道橋等の橋梁に適用されるコンクリート床版の補強構造及び方法に関し、図面を参照しながら詳細に説明をする。
【００１９】
本発明を適用したコンクリート床版２の補強構造１は、例えば、図１の正面図に示すように、橋軸直角方向Ａに向けて所定間隔で並列配置された主桁４の上部に一体化されたコンクリート床版２に対して施す補強構造である。この補強構造１では、補強用底板３１と、繊維補強シート３２とにより構成される補強材３を備えている。
【００２０】
コンクリート床版２は、少なくともその内部に主鉄筋２５並びに配力鉄筋２６が埋設された、いわゆるＲＣコンクリート躯体２１を有している。そして、このＲＣコンクリート躯体２１の下部において、橋軸直角方向Ａに向けて所定間隔でハンチ部２１ｂが形成されている。このハンチ部２１ｂは、下方向に向けて徐々に縮径された断面形状で構成され、当該ハンチ部２１ｂの下端において主桁４が設けられる。ちなみに、このハンチ部２１ｂの構成は、特に必須ではなく、省略される場合もあることは勿論である。かかる場合には、このＲＣコンクリート躯体２１の底面２１ａは、平面状に構成され、この平面状の底面２１ａにおいて橋軸直角方向Ａに向けて所定間隔で主桁４が取り付けられる構成となる。
【００２１】
主桁４は、ウェブ部４１の上端に上フランジ部４２が、またウェブ部４１の下端に下フランジ部４３が設けられている、断面Ｉ形鋼で構成されている。この主桁４は、鋼製からなる。上フランジ部４２は、上述したコンクリート床版２のハンチ部２１ｂを介してこれに一体化されるようにして取り付けられている。ちなみに、この主桁４は、Ｉ断面を構成する場合のみならず、箱断面形状を構成するものであってもよい。
【００２２】
補強材３は、図２に示すように補強用底板３１の底面に繊維補強シート３２を取り付けた形態で構成される。ちなみに、この図２(a)は、補強材３の斜視図であり、図２(b)は、補強材３の正面図である。この補強用底板３１における繊維補強シート３２の取り付け位置は、補強用底板３１の左右両端である。しかしながら、この橋軸直角方向端部に取り付けられる補強材３において、繊維補強シート３２は、少なくとも一端側のみに取り付けられていればよい。この補強用底板３１と繊維補強シート３２とは、互いにエポキシ樹脂等の接着剤を介して接着されている。
【００２３】
補強用底板３１は、例えば鋼板又はプラスチック成形板により構成されている。この補強用底板３１をプラスチック成形板により構成する場合には、ＣＦＲＰ(Carbon Fiber Reinforced Plastics)成形板を用いるようにしてもよい。補強用底板３１は帯状板で構成され，その帯状板が橋軸方向に離間されて配置されている場合においても，その端部に繊維補強シート３２が取り付けられていればよい。補強用底板３１は、厚みが２〜３ｍｍ程度であるが、これに限定されるものではなく、いかなる厚みで構成されていてもよい。
【００２４】
繊維補強シート３２は、例えば、炭素繊維やアラミド繊維、ビニロン繊維等を始めとした強化繊維を１方向又は２方向に並べてシート状に加工したものである。この繊維補強シート３２は、特にその強化繊維が並べられている方向に沿って剛性が高くなるように構成されている。その結果、繊維補強シート３２は、この強化繊維が並べられている方向に向けて変形が加わった場合に、この強化繊維の存在によりその変形に対して抵抗することが可能となる。また、この繊維補強シート３２を設けることにより、外部から水の浸入を防止することができ、ＲＣコンクリート躯体２１内に形成された亀裂を通じて水が主鉄筋２５、配力鉄筋２６へと浸透してこれらが腐食してしまうのを防止することが可能となる。
【００２５】
コンクリート床版２の補強構造１への取り付け形態としては、補強用底板３１がコンクリート床版２の底面２１ａにおいて接合されている。そして、繊維補強シート３２は、図３(a)の拡大正面図に示すように、この補強用底板３１と主桁４との間に取り付けられる。実際にこの繊維補強シート３２は、この主桁４を構成する上フランジ部４２の下面において取り付けられていてもよい。このとき、繊維補強シート３２は、少なくともハンチ部２１ｂを被覆するものであってもよい。
【００２６】
ちなみに、この繊維補強シート３２は、ハンチ部２１ｂを単に被覆するもののみならず、例えばエポキシ系接着剤を含浸してハンチ部２１ｂに対して接着されている。その結果、この繊維補強シート３２は、このハンチ部２１ｂと一体化させることが可能となり、当該ハンチ部２１ｂおける変形に対して、この強化繊維を介して抵抗することが可能となる。
【００２７】
繊維強化シート３２は、上フランジ４２の下面まで延長されて、これに貼り付けられる場合に限定されるものではなく、例えば図３(b)に示すように、上フランジ４２まで至らない長さで構成されている場合には、ハンチ部２１ｂのみにおいて貼り付けられるものであってもよい。
【００２８】
また図３(c)に示すように、ハンチ部２１ｂが特段形成されていない場合には、繊維補強シート３２は、補強用底板３１と主桁４との間においてコンクリート床版２の底面２１ａに接着剤を介して接着されている。
【００２９】
なお本発明では、橋軸直角方向Ａのみならず、図４に示すように、橋軸方向Ｂに向けて繊維補強シート３２を取り付けるようにしてもよい。図４(a)は、本発明を適用したコンクリート床版の補強構造１の底面図を示しており、図４(b)は、そのＣ−Ｃ´断面図を示している。この図４において、上述した図１と同一の構成要素、部材に関しては、同一の符号を付すことにより以下での説明を省略する。
【００３０】
横桁６は、ウェブ部６１の上端に上フランジ部６２が、またウェブ部６１の下端に下フランジ部６３が設けられている、断面Ｉ形鋼で構成されている。この横桁６は、鋼製からなる。上フランジ部６２は、上述したコンクリート床版２のハンチ部２１ｂを介してこれに一体化されるようにして取り付けられている。ちなみにこのハンチ部２１ｂが省略されている場合において、この上フランジ６２は、ＲＣコンクリート躯体２１に直接的に取り付けられることになる。
【００３１】
繊維補強シート３２は、図５に示すように、補強用底板３１の各辺において取り付けられている。この補強用底板３１と繊維補強シート３２とは、互いにエポキシ樹脂等の接着剤を介して接着されている。
【００３２】
コンクリート床版２の補強構造１への取り付け形態としては、補強用底板３１がコンクリート床版２の底面２１ａにおいて接合されている。そして、繊維補強シート３２は、図４(a)の底面図に示すように、この補強用底板３１と主桁４及び横桁６との間に取り付けられる。このとき、繊維補強シート３２は、橋軸方向Ｂにおいて、この横桁６を構成する上フランジ部６２の下面において取り付けられていてもよいし、図４(b)に示すように、ハンチ部２１ｂのみにおいて貼り付けられるものであってもよい。また繊維補強シート３２は、橋軸直角方向Ａ及び／又は橋軸方向Ｂ、に向けて拡径された形状で構成されていてもよく、これによりハンチ部２１ｂを広い面積に亘って被覆することが可能となる。
【００３３】
図６は、長手方向が橋軸方向Ｂ（紙面直角方向）とされた補強用底板３１を橋軸直角方向Ａに複数並べた例を示している。このような配置形態においても、各補強用底板３１の周囲に繊維補強シート３２を取り付け、ハンチ部２１ｂやＲＣコンクリート躯体２１の底面２１ａを被覆することになる。なお、この図６の例では、ハンチ部２１ｂやＲＣコンクリート躯体２１の底面２１ａが露出している箇所もあるが、これらが互いに露出しないように繊維補強シート３２で覆うようにしてもよい。
【００３４】
なお、この図４〜６の例において、補強用底板３１に対して橋軸方向Ｂのみに繊維補強シート３２が取り付けられ、当該橋軸方向Ｂに向けて横桁６と補強用底板３１との間に繊維補強シート３２が取り付けられるものであってもよい。
【００３５】
図７は、補強用底板３１を複数配置する例を示す底面図である。図７(a)は、長手方向が橋軸方向Ａとされた補強用底板３１を橋軸直角方向Ｂに複数並べた例を示している。図７(b)は、長手方向が橋軸直角方向Ｂとされた補強用底板３１を橋軸方向Ａに複数並べた例を示している。図７(a)の例では、補強用底板３１の橋軸方向Ａ両端からハンチ部２１ｂにかけて繊維補強シート３２を取り付けたものである。また、図７(b)の例では、補強用底板３１の橋軸直角方向Ｂ両端からハンチ部２１ｂにかけて繊維補強シート３２を取り付けたものである。かかる形態においても上述した効果を奏することは勿論である。
【００３６】
図７(c)は、長手方向が橋軸方向Ａとされた補強用底板３１と、長手方向が橋軸直角方向Ｂとされた補強用底板３１とを互いに直交させて配置する例を示している。これら互いに直交する補強用底板３１を配置する際には、互いの補強用底板３１を重ね合わせることにより配置することになる。
【００３７】
この例では、補強用底板３１の橋軸方向Ａ両端並びに橋軸直角方向Ｂ両端からハンチ部２１ｂにかけて繊維補強シート３２を取り付けたものである。かかる形態では、橋軸方向Ａ、並びに橋軸直角方向Ｂの両方向において補強を実現することができ、さらには、繊維補強シート３２を取り付けることにより、桁近傍の亀裂の進展を抑制することができる。
【００３８】
図８は、鋼製の主桁４の代替として、コンクリート製の主桁７１で構成した場合の例を示している。このように主桁７１は、鋼製のみならずコンクリート製で構成してもよく、かかる場合においても、繊維補強シート３２による補強を行うことにより、主桁７１近傍の損傷を未然に抑えることが可能となる。
【００３９】
なお、本発明は、上述した実施の形態に限定されるものではない。例えば、図９に示すコンクリート床版２の補強構造１´は、コンクリート床版２の底面２１ａにおいて、互いに橋軸直角方向へ離間させて接合された複数の補強用底板３１と、補強用底板３１の間隙を被覆するように取り付けられた繊維補強シート３２とを備えている。また，互いに橋軸方向へ離間させて接合された場合においても同様である．ちなみに、この補強構造１´において、上述した補強構造１と同一の構成要素、部材に関しては、同一の符号を付すことにより、以下での説明を省略する。
【００４０】
このコンクリート床版２の補強構造１´は、補強用底板３１が互いにしているため、コンクリート床版２の底面２１ａが露出してしまうことから、これを被覆するために、繊維補強シート３２を取り付けたものである。この繊維補強シート３２は、コンクリート床版２の底面２１ａにおいて接着されていてもよい。
【００４１】
次に、本発明を適用したコンクリート床版２の補強構造１による実際の補強方法について説明をする。
【００４２】
先ず図１０(a)は、補強前のコンクリート床版２であるが、このコンクリート床版２の底面２１ａには、特に何ら補強がなされておらず、ＲＣコンクリート躯体２１がむき出しの状態になっている。このような補強前のコンクリート床版２に対して、図２に示すような予め繊維補強シート３２が取り付けられた補強用底板３１を、接着剤により接合する。この補強用底板３１が取り付けられた状態を図１０(b)に示す。この段階では、まだ繊維補強シート３２は、主桁４に取り付けられてなく、補強用底板３１から吊下げられた状態にある。その後、この繊維補強シート３２を図１に示すように主桁４における上フランジ部４２に取り付ける。このとき、この繊維補強シート３２に対して接着剤を塗布するか、又はハンチ部２１ｂの表面に接着剤を塗布または含浸しておくことにより、繊維補強シート３２とハンチ部２１ｂとを互いに接着するようにしてもよい。
【００４３】
また、図１０(a)に示す補強前のコンクリート床版２の状態から、図１０(c)に示すように、未だ繊維補強シート３２が取り付けられていない補強用底板３１を、接着剤により接合する。その後、事後的に繊維補強シート３２を補強用底板３１並びに主桁４における上フランジ部４２に取り付けることにより、最終的に図１に示すような補強構造１とするようにしてもよい。このとき、この繊維補強シート３２に対して接着剤を塗布するか、又はハンチ部２１ｂの表面に接着剤を塗布しておくことにより、繊維補強シート３２とハンチ部２１ｂとを互いに接着するようにしてもよい。
【００４４】
なお、これら図１０(a)〜(c)の形態では、ハンチ部２１ｂが存在する場合を例にとり説明をしたが、ハンチ部２１ｂが設けられていない場合においてもその手順は上述と同様である。
【００４５】
また、コンクリート床版２の補強構造１´においても同様に、コンクリート床版２の底面２１ａにおいて、互いに橋軸直角方向へ離間させて複数の補強用底板３１を接合し、更に補強用底板３１の間隙を被覆するように繊維補強シート３２を取り付ける。
【００４６】
次に、本発明を適用したコンクリート床版２の補強構造１における作用について説明をする。主桁４の中間部付近において車両が走行する場合、例えば図１１に示すように、主桁４の中間部付近において最大となる正の曲げモーメントによる影響により、コンクリート床版２において大きな負荷がかかることになる。この主桁４の中間部付近における曲げモーメントに対しては、底面２１ａに接合された補強用底板３１により、抵抗することができ、これによって底面２１ａからひび割れが発生するのを防止することができ、またコンクリートの剥落等を防止することが可能となる。
【００４７】
また、主桁４の近傍において負荷される応力に対しては、繊維補強シート３２により抵抗することが可能となる。この主桁４の近傍では、それほど大きな曲げモーメントが発生しないが，形状が変化し，主桁との接合部であるため，損傷が生じやすい部位である．特にこの繊維補強シート３２による補強により、損傷を未然に抑えることが可能となる。また、主桁４のみならず横桁６の近傍に負荷される応力に対しても、繊維補強シート３２により抵抗することが可能となる。
【００４８】
また、図９に示すコンクリート床版２の補強構造１´についても、桁間中央において曲げモーメントが大きくなるが、これに対しては、繊維補強シート３２により抵抗することが可能となる。
【００４９】
なお、本発明によれば、従来の非特許文献１の開示技術のように、鋼製底板をハンチ部２１ｂの形状に応じて折り曲げる工程が不要となることから、施工労力を軽減させることが可能となる。また従来においては、鋼製底板の折曲げ角度は、ハンチ部２１ｂの形状に応じてその都度調整しなければならなかったが、本発明によれば、この繊維補強シート３２を取り付ける構成としていることから、いかなるハンチ部２１ｂの形状に対しても自在に対応することが可能となる。特に補強工事を前提とする場合、補強対象としてのコンクリート床版２のハンチ部２１ｂの形状や大きさはそれぞれ異なるが、本発明を適用することにより、かかるハンチ部２１ｂの形状や大きさに自在に対応することができることから、特に補強時において大きな効果を発揮する。また、ハンチ部２１ｂが無い形状のコンクリート床版２についてもこれに対応することができ、汎用性を向上させることが可能となる。
【００５０】
また、図９に示すコンクリート床版２の補強構造１´についても、繊維補強シート３２を後から貼り付けるだけで、補強することが可能となることから、施工労力を軽減させることが可能となる。
【００５１】
さらに本発明では、補強用底板３１と繊維補強シート３２とを併用するため、補強用底板３１のみで構成する場合と比較して材料コストを軽減させることが可能となることは勿論である。
【符号の説明】
【００５２】
１  補強構造
２  コンクリート床版
３  補強材
４  主桁
２１  ＲＣコンクリート層
２１ｂ  ハンチ部
２１ａ  底面
２５  主鉄筋
２６  配力鉄筋
３１  補強用底板
３２  繊維補強シート
４１  ウェブ部
４２  上フランジ部
４３  下フランジ部
【図１】
2010265696.tif 000003
【図２】
2010265696.tif 000004
【図３】
2010265696.tif 000005
【図４】
2010265696.tif 000006
【図５】
2010265696.tif 000007
【図６】
2010265696.tif 000008
【図７】
2010265696.tif 000009
【図８】
2010265696.tif 000010
【図９】
2010265696.tif 000011
【図１０】
2010265696.tif 000012
【図１１】
2010265696.tif 000013